(57)【要約】      （修正有）【課題】横葺き屋根材の後端側を切断することなく水上終端部まで葺き上げることができる施工性の良い横葺き屋根の施工方法を提供する。【解決手段】吊子を介して屋根下地５に固定される横葺き屋根材６を軒先から水上側へと葺き上げていくにあたり、吊子として、横葺き屋根材前端の折り返し板部６ｃと係合する係止用板部１０ｂの前後長さが短い一般吊子Ａと、一般吊子Ａよりも係止用板部１０ｂの前後長さが長い調整吊子Ｂとを併用し、軒先から水上終端部までの横葺き屋根材６の割り付けに基づいて調整吊子Ｂの使用個数を設定して、横葺き屋根材６の前後方向での重ね代を変えることにより、横葺き屋根材６の後端側を切断することなく水上終端部まで葺き上げるようにする。【選択図】図２
2006265856.tif 000002
【特許請求の範囲】
【請求項１】
吊子を介して屋根下地に固定される横葺き屋根材を軒先から水上側へと葺き上げていくにあたり、吊子として、横葺き屋根材前端の折り返し板部と係合する係止用板部の前後長さが短い一般吊子と、一般吊子よりも係止用板部の前後長さが長い調整吊子とを併用し、軒先から水上終端部までの横葺き屋根材の割り付けに基づいて調整吊子の使用個数を設定して、横葺き屋根材の前後方向での重ね代を変えることにより、横葺き屋根材の後端側を切断することなく水上終端部まで葺き上げることを特徴とする横葺き屋根の施工方法。
【発明の詳細な説明】
【技術分野】
【０００１】
本発明は、吊子を介して屋根下地に固定される横葺き屋根材を軒先から水上側へと葺き上げていく横葺き屋根の施工方法に関する。
【背景技術】
【０００２】
新築、改修を問わず、横葺き屋根材を軒先から水上側へと葺き上げていくと、棟部や外壁立上り部などの水上終端部に突き当たる最後の１段は、横葺き屋根材の前後幅に合わない中途半端な寸法となるのが普通である。
【０００３】
そのため、従来では、最後の１段については、図４や図５に示すように、棟部１１や外壁立上り部１５などの水上終端部に突き当たる横葺き屋根材６の後端側（図中に仮想線で示した部分ａ）を現場で切断し、切断端部を上方へ曲げ加工して、特許文献１にも見られるような水返し面となる立上り板部６ｄを形成して、寸法合せする必要があり、多大の手間を要していた。
【０００４】
殊に、化粧面となる主板部、主板部の前端から下方へ折れ曲がった見掛厚面となる折曲板部、折曲板部の下端から後方へ折り返された折り返し板部、主板部の後端から上方へ折れ曲がった水返し面となる立上り板部、立上り板部の上端から前方へ折り返された吊子固定面となる折り返し板部の夫々に凹凸リブを形成して、意匠性を高めた横葺き屋根材の場合、凹凸リブの成形によって立体的な断面形状となるため、現場作業による後端側の切断や曲げ加工が難しく、熟練した板金作業員の不足が叫ばれている昨今、大きな問題となっている。
【０００５】
【特許文献１】特開２０００−９６７８０号公報
【発明の開示】
【発明が解決しようとする課題】
【０００６】
本発明は、上記の問題点を踏まえてなされたもので、その目的とするところは、横葺き屋根材の後端側を切断することなく水上終端部まで葺き上げることができる施工性の良い横葺き屋根の施工方法を提供することにある。
【課題を解決するための手段】
【０００７】
上記の目的を達成するために、本発明が講じた技術的手段は、次の通りである。即ち、請求項１に記載の発明による横葺き屋根の施工方法は、吊子を介して屋根下地に固定される横葺き屋根材を軒先から水上側へと葺き上げていくにあたり、吊子として、横葺き屋根材前端の折り返し板部と係合する係止用板部の前後長さが短い一般吊子と、一般吊子よりも係止用板部の前後長さが長い調整吊子とを併用し、軒先から水上終端部までの横葺き屋根材の割り付けに基づいて調整吊子の使用個数を設定して、横葺き屋根材の前後方向での重ね代を変えることにより、横葺き屋根材の後端側を切断することなく水上終端部まで葺き上げることを特徴としている。
【発明の効果】
【０００８】
上記の構成によれば、調整吊子は、横葺き屋根材前端の折り返し板部と係合する係止用板部の前後長さが、一般吊子のそれより長いので、調整吊子によって固定された前後２段の横葺き屋根材同士の重ね代は、一般吊子によって固定された前後２段の横葺き屋根材同士の重ね代よりも大きくなり、その分、トータルとしての前後幅（葺き幅）が短くなる。つまり、水下側に配置された横葺き屋根材の後端を調整吊子によって屋根下地に固定し、当該調整吊子の係止用板部に、水上側に配置する横葺き屋根材（次の段の横葺き屋根材）の前端の折り返し板部を引っ掛けた状態において、当該横葺き屋根材は、係止用板部の延長された長さ分、前方に位置をずらした状態に葺かれることになり、調整吊子によって固定された前後２段の横葺き屋根材のトータルとしての前後幅（葺き幅）が、一般吊子によって固定された前後２段の横葺き屋根材トータルとしての前後幅より短くなる。そして、この前後幅の短縮距離は調整吊子の使用個数に比例するから、調整吊子の使用個数が増えるほど、一般吊子を使用した場合のトータルとしての前後幅との差が大きくなる。
【０００９】
従って、軒先から水上終端部までの横葺き屋根材の割り付けにより、棟部や外壁立上り部などの水上終端部に突き当たる最後の１段の横葺き屋根材が中途半端な寸法になると算定された場合、当該横葺き屋根材の葺き幅が不足する寸法に応じて、調整吊子の使用個数を増減し、必要回数の調整を行うことによって、横葺き屋根材の後端側を切断することなく水上終端部まで葺き上げることができる。
【００１０】
たとえ、調整吊子の使用個数の設定による葺き幅の調整だけでは、横葺き屋根材の割り付けができず、微調整の必要があるケースが生じても、調整吊子の係止用板部を必要長さに切断すれば足り、この場合でも、横葺き屋根材に比して横幅の狭い調整吊子を切断することになるから、現場作業による切断が容易であり、横葺き屋根材の後端側を切断した場合のような切断端部の曲げ加工も不要であるから、施工性が良い。
【発明を実施するための最良の形態】
【００１１】
図１は、本発明に係る横葺き屋根の施工方法に用いられる一般吊子Ａと調整吊子Ｂを示す斜視図であり、図２と図３は、夫々、本発明に係る横葺き屋根の施工方法を説明する横葺き屋根の要部の縦断側面図である。図２、図３において、１は母屋、２は母屋１に架設された断面ハット型の金属製垂木、３は垂木２間に嵌め込まれて両側の垂木２に支持された野地板、４は野地板３上に敷設された防水シートであり、これらの部材により、屋根下地５の一例を構成している。６は、裏面に断熱材（図示せず）を積層したカラー鋼板製の横葺き屋根材であり、化粧面となる主板部６ａ、主板部６ａの前端から下方へ折れ曲がった見掛厚面となる折曲板部６ｂ、折曲板部６ｂの下端から後方へ折り返された折り返し板部６ｃ、主板部６ａの後端から上方へ折れ曲がった水返し面となる立上り板部６ｄ、立上り板部６ｄの上端から前方へ折り返された吊子固定面となる折り返し板部６ｅとから構成されている。
【００１２】
一般吊子Ａ及び調整吊子Ｂは、何れも鋼板の曲げ加工により作製されたものであり、図１に示すように、屋根下地５に対する固定用板部７と、その前端から立ち上がった立上り板部８と、その上端から前方へ折れ曲がった折曲板部９とを備えており、折曲板部９の前端下方には、横葺き屋根材６前端の折り返し板部６ｃと係合する係止用板部１０が設けられている。この実施形態では、前記係止用板部１０が、折曲板部９の前端から下方へ折れ曲がった垂下板部１０ａと、その下端から前方に折り返された折り返し板部１０ｂとで構成されている。
【００１３】
一般吊子Ａと調整吊子Ｂとは、係止用板部１０の前後長さＬａ，Ｌｂを、換言すれば、垂下板部１０ａの下端から前方へ突出する折り返し板部１０ｂの長さを、一般吊子Ａでは短くし、調整吊子Ｂではそれよりも長くしてある点でのみ相違し、それ以外は同一の構成である。
【００１４】
本発明に係る横葺き屋根の施工方法を、図２に基づいて説明すると、吊子を介して屋根下地５に固定される横葺き屋根材６を軒先から水上側へと葺き上げていくにあたり、軒先から棟部（水上終端部の一例である）１１までの横葺き屋根材６の割り付けにより、図４で示した従来例のように、棟部１１に突き当たる最後の１段の横葺き屋根材６が中途半端な寸法になると算定された場合、吊子として、図１に示した一般吊子Ａと調整吊子Ｂの２種類を使用し、且つ、軒先から棟部１１までの横葺き屋根材６の割り付けに応じて調整吊子Ｂの使用個数を設定して、横葺き屋根材６の前後方向での重ね代を変えることにより、横葺き屋根材６の後端側を切断することなく棟部１１まで葺き上げるのである。図２において、１２は捨て板、１３は棟包み、１４は棟包み１３の木下地である。
【００１５】
上記の構成によれば、調整吊子Ｂは、横葺き屋根材６前端の折り返し板部６ｃと係合する係止用板部１０における折り返し板部１０ｂの前後長さＬｂが、一般吊子ＡのそれＬａより長いので、調整吊子Ｂによって固定された前後２段の横葺き屋根材６，６同士の重ね代Ｈｂは、一般吊子Ａによって固定された前後２段の横葺き屋根材６，６同士の重ね代Ｈａよりも大きくなり、その分、トータルとしての前後幅（葺き幅）が短くなる。
【００１６】
即ち、水下側に配置された横葺き屋根材６の後端を調整吊子Ｂによって屋根下地５に固定し、当該調整吊子Ｂの係止用板部１０に、水上側に配置する横葺き屋根材６の前端の折り返し板部６ｃを引っ掛けた状態において、当該横葺き屋根材６は、一般吊子Ａを使用した場合よりも、係止用板部１０における折り返し板部１０ｂの延長分（Ｌｂ−Ｌａ）、前方に位置をずらした状態に葺かれることになり、調整吊子Ｂによって固定された前後２段の横葺き屋根材６，６のトータルとしての前後幅（葺き幅）が、一般吊子Ａによって固定された前後２段の横葺き屋根材トータルとしての前後幅より短くなる。そして、この前後幅の短縮距離は調整吊子Ｂの使用個数に比例するから、調整吊子Ｂの使用個数が増えるほど、一般吊子Ａを使用した場合のトータルとしての前後幅との差が大きくなる。
【００１７】
従って、軒先から棟部１１までの横葺き屋根材６の割り付けにより、棟部１１に突き当たる最後の１段の横葺き屋根材６が中途半端な寸法になると算定された場合、当該横葺き屋根材６の葺き幅が不足する寸法に応じて、調整吊子Ｂの使用個数を増減し、必要回数の調整を行うことによって、図２に示したように、横葺き屋根材６の後端側を切断することなく棟部１１まで葺き上げることができるのである。
【００１８】
たとえ、調整吊子Ｂの使用個数の設定による葺き幅の調整だけでは、横葺き屋根材６の割り付けができず、微調整の必要があるケースが生じても、調整吊子Ｂの係止用板部１０における折り返し板部１０ｂを必要長さに切断すれば足り、この場合でも、横葺き屋根材６に比して横幅が狭い調整吊子Ｂの折り返し板部１０ｂを切断するだけであるから、現場作業による切断が容易であり、横葺き屋根材の後端側を切断した場合のような切断端部の曲げ加工も不要であるから、施工性が良い。
【００１９】
尚、図２では、軒先から棟部（水上終端部の一例である）１１まで葺き上げる場合を例にとって本発明の実施形態を説明したが、図３に示すように、軒先から外壁立上り部（水上終端部の一例である）１５まで葺き上げる場合についても、本発明が同様に実施できることは勿論である。図３において、１６は壁下地、１７は外壁用防水シート、１８は屋根下地５と壁下地１６とにわたって設置された捨て板、１９は雨押え水切り、２０は棟ケミカル面戸である。その他の構成は、図２の実施形態と同じであるため、同一構成部材に同一符号を付し、説明を省略する。
【図面の簡単な説明】
【００２０】
【図１】本発明に係る横葺き屋根の施工方法に用いる一般吊子と調整吊子の一例を示す斜視図である。
【図２】本発明に係る横葺き屋根の施工方法を説明する横葺き屋根の要部の縦断側面図である。
【図３】本発明の他の実施形態を示す横葺き屋根の要部の縦断側面図である。
【図４】従来例を示す横葺き屋根の縦断側面図である。
【図５】従来例を示す横葺き屋根の縦断側面図である。
【符号の説明】
【００２１】
Ａ  一般吊子
Ｂ  調整吊子
Ｌａ，Ｌｂ  係止用板部の前後長さ
Ｈａ，Ｈｂ  重ね代
５  屋根下地
６  横葺き屋根材
６ｃ  折り返し板部
１０  係止用板部
【図１】
2006265856.tif 000003
【図２】
2006265856.tif 000004
【図３】
2006265856.tif 000005
【図４】
2006265856.tif 000006
【図５】
2006265856.tif 000007